(57)【要約】【課題】  打弦によりケース内で発生した音がこもってしまうのを防止することが可能なアップライトピアノを簡素な構造で実現する。【解決手段】  アップライトピアノの外装を構成するケース２０の上前板２２は、一枚の板材にて構成されている。そして、上前板２２に、当該上前板２２を貫通する貫通孔２２ａ〜２２ｌを形成すると共に、貫通孔２２ａ〜２２ｌをケース２０の外側から被覆する被覆部材７０，７２を設ける。更に、被覆部材７０，７２に、ケース２０内で発生した音を外部へ逃がすためのスリット７０ａ〜７０ｃ，７２ａ〜７２ｃを形成する。以上のようなアップライトピアノによれば、上前板２２は一枚の板材に貫通孔２２ａ〜２２ｌが形成されただけなので、上前板２２の塗装を簡単に行うことができる。よって、打弦によりケース２０内で発生した音がこもってしまうのを防止することが可能なアップライトピアノを簡素な構造で実現することができる。【選択図】  図２
2007187886.tif 000002
【特許請求の範囲】
【請求項１】
ピアノの外装を構成するケースの上前板を一枚の板材にて構成してなるアップライトピアノであって、
前記上前板に、当該上前板を貫通する貫通孔を形成すると共に、
該貫通孔を前記ケースの外側から被覆する被覆部材を設け、
該被覆部材に、打弦により前記ケース内で発生した音を外部へ逃がすためのスリットを形成してなることを特徴とするアップライトピアノ。
【請求項２】
前記貫通孔は、少なくとも、弦の配列方向の中心部分よりも高音域側に形成されていることを特徴とする請求項１に記載のアップライトピアノ。
【請求項３】
前記貫通孔は、弦の配列方向の中心部分よりも高音域側と低音域側とに形成されていることを特徴とする請求項１又は請求項２に記載のアップライトピアノ。
【請求項４】
前記貫通孔は、当該上前板に対して、高音域側は上部に、低音域側は下部に配置されていることを特徴とする請求項１ないし請求項３の何れか１項に記載のアップライトピアノ。
【請求項５】
前記貫通孔は、弦の長手方向に沿って複数形成されていることを特徴とする請求項１ないし請求項３の何れか１項に記載のアップライトピアノ。
【請求項６】
前記貫通孔の各々は、当該上前板に対し、高音域側は上部に多く配置され、低音域側は下部に多く配置されていることを特徴とする請求項５に記載のアップライトピアノ。
【発明の詳細な説明】
【技術分野】
【０００１】
本発明は、アップライトピアノに関する。
【背景技術】
【０００２】
従来より、アップライトピアノにおいては、弦や響板等から発生される音がケース内にこもってしまうのを防ぐために、上前板に音の出口を設けたものが知られている。
即ち、この上前板は、５枚の板材からなり、３枚の板材を、所定の間隔を空けて鍵盤における鍵の配列方向に一列に並んで配置し、その後方にて、各板材の間に残り２枚の板材を取り付けることにより構成される。そして、板材同士の接合部分には、ピアノの内部と外部とを連結するためのスリットが形成されており、ケース内で発生した音は、そのスリットを通って外部へ逃げるようにされている（例えば、特許文献１参照）。
【特許文献１】実開平７−２３３９７号公報
【発明の開示】
【発明が解決しようとする課題】
【０００３】
しかしながら、従来のアップライトピアノにおいて、打弦によりケース内で発生した音がこもってしまうのを防止するには、上前板を複数の板材にて構成すると共に、その板材にスリットを形成しなければならない。
【０００４】
このため、複数の部材を加工・塗装し、更に組立加工を行う必要があるため、多大な手間が必要となる。
そこで、本発明は、こうした問題を解決するためになされたものであり、打弦によりケース内で発生した音がこもってしまうのを防止することが可能なアップライトピアノを、簡素な構造で実現することを目的としている。
【課題を解決するための手段】
【０００５】
上記目的を達成するためになされた請求項１に記載の発明は、ピアノの外装を構成するケースの上前板を一枚の板材にて構成してなるアップライトピアノであって、上前板に、当該上前板を貫通する貫通孔を形成すると共に、貫通孔をケースの外側から被覆する被覆部材を設け、被覆部材に、打弦によりケース内で発生した音を外部へ逃がすためのスリットを形成してなることを特徴としている。
【０００６】
このような請求項１に記載のアップライトピアノによれば、上前板は一枚の板材に貫通孔が形成されただけなので、上前板の塗装を簡単に行うことができる。
よって、打弦によりケース内で発生した音がこもってしまうのを防止することが可能なアップライトピアノを、簡素な構造で実現することができる。
【０００７】
また更に、請求項１に記載のアップライトピアノによれば、上前板には被覆部材が取り付けられているため、演奏者側から貫通孔が見えることはない。
よって、アップライトピアノの美観を損なうことなく、打弦によりケース内で発生した音を外部へ逃がすことができる。
【０００８】
次に、請求項２に記載のアップライトピアノは、請求項１に記載のアップライトピアノにおいて、貫通孔は、少なくとも、弦の配列方向の中心部分よりも高音域側に形成されていることを特徴としている。
【０００９】
つまり、高音は低音よりも周波数が高く音がこもりやすいので、請求項１に記載のアップライトピアノを請求項２に記載のように構成することにより、高音を効率よく外部へ逃がすことができる。
【００１０】
また、貫通孔は、請求項３に記載のように、弦の配列方向の中心部分よりも低音域側と高音域側とに形成されているとよい。
これによれば、低音と高音とを効率よく外部へ逃がすことができる。
【００１１】
ところで、各弦において、最も大きな音が発生する位置は、基音の腹となる位置（即ち、弦の中心位置）であり、アップライトピアノにおいて、各弦の基音の腹となる位置は、一般的に、低音域側が下方に、高音域側が上方となるようにされている。
【００１２】
そこで、請求項１〜３の何れかに記載のアップライトピアノは、請求項４に記載のように構成するとよい。
即ち、請求項４に記載のアップライトピアノは、請求項１〜３の何れかに記載のアップライトピアノにおいて、貫通孔の上前板に対する配置位置を、高音域側は上方となるように配置し、低音域側は下方となるように配置するようにされている。
【００１３】
これによれば、打弦により発生された音を効率よく外部へ逃がすことができる。
次に、請求項５に記載のアップライトピアノは、請求項１〜３の何れかに記載のアップライトピアノにおいて、貫通孔は、弦の長手方向に沿って複数形成されていることを特徴としている。
【００１４】
これによれば、その各貫通孔との対応位置に位置する弦から発生する音を、効率よく外部へ逃がすことができる。
また、貫通孔の各々は、請求項６に記載のように、上前板に対し、高音域側は上方に多く配置され、低音域側は下方に多く配置されているとよい。
【００１５】
このようにすれば、請求項４の発明で述べた効果と同様の効果を得ることができる。
【発明を実施するための最良の形態】
【００１６】
以下、本発明が適用された実施形態のアップライトピアノについて、図面を用いて説明する。
図１は、本実施形態のアップライトピアノを説明する説明図であり、図１（ａ）はアップライトピアノの正面図であり、図１（ｂ）は弦４０の取付状態を説明する説明図である。なお、以下の説明において、上下左右前後等の方向に関する表現は、演奏者側からピアノを見た方向である。
【００１７】
図１に示すように、本実施形態のアップライトピアノ（以下、単にピアノという）は、複数の鍵からなる鍵盤１０、ピアノの外装を構成するケース２０、弦４０、響板５０、アクション機構（図示せず）等を備える。
【００１８】
弦４０は、図１（ｂ）に示すように、上方が、ケース２０内に設けられたフレーム６０に取り付けられ、下方が、響板５０に取り付けられた駒６１ａ，６１ｂに取り付けられており、低音域側から高音域側にいくほど（左側に配置される弦４０よりも右側に配置される弦４０の方が）細く短くなるようにされている。また、各弦４０の一端は、フレーム６０の上方位置にて左右方向（鍵盤１０における鍵の配列方向）に沿って取り付けられている。
【００１９】
このため、各弦４０の中心位置は、左側から右側に行くほど高くなる。
なお、図１（ｂ）において、点線で示す箇所は、弦４０における各端の取付位置を表している。また、中音域や高音域の弦４０の各々は、その長手方向とピアノの上下方向とが略平行となるように取り付けられており、低音域の弦４０は、ケース２０の高さ（上下方向の長さ）よりも長いため、ケース２０に対して所定角度傾くように取り付けられている。
【００２０】
ケース２０は、ピアノの正面上部を構成する上前板２２と、正面下部を構成する下前板２４と、上面を構成する屋根２６と、下面を構成する底板２８と、側面を構成する親板３０，３２と、鍵盤蓋３４及び鍵盤１０の下部を構成する図示しない棚板と、上前板２２に取り付けられた長尺状の被覆部材７０，７２とを備えている。
【００２１】
次に、本発明の主要部分である上前板２２及び被覆部材７０，７２の構成について、図２及び図３を用いて説明する。なお、図２は、上前板２２及び被覆部材７０，７２の構成を説明する説明図であり、図２（ａ）は上前板２２及び被覆部材７０，７２の正面図であり、図２（ｂ）は同図（ａ）のＡ−Ａ’における断面図である。また、図３は、被覆部材７０，７２の斜視図である。また、図２（ａ）において、点線で示す箇所は透過を表している。
【００２２】
上前板２２は、一枚の板材からなり、図２に示すように、鍵の配列方向の中心部分よりも低音域側と高音域側との左右両側には、上下方向に一列に並ぶように、複数（本実施形態では６個ずつ）の貫通孔２２ａ〜２２ｌがそれぞれ形成されている。
【００２３】
また、各列毎の貫通孔２２ａ〜２２ｆ，２２ｇ〜２２ｌは、左側（低音域側）が下方に多くなるように配列され、右側（高音域側）が上方に多くなるように配列されている。
具体的に説明すると、左側（低音域側）に形成された貫通孔２２ａ〜２２ｆは、上前板２２の下側から順に、３個，２個，１個というようにグループ化して分散して配置されており、右側（高音域側）に形成された貫通孔２２ｇ〜２２ｌは、上前板２２の上側から順に、３個，２個，１個というようにグループ化して分散して配置されている。
【００２４】
被覆部材７０，７２は、図２及び図３に示すように、貫通孔２２ａ〜２２ｆ及び貫通孔２２ｇ〜２２ｌをケース２０の外側から覆い隠すためのものであり、打弦が行われることで弦４０や響板５０等により発生される音を、貫通孔２２ａ〜２２ｌを介して外部へ逃がすためのスリット７０ａ〜７０ｃ，７２ａ〜７２ｃが形成されている。
【００２５】
スリット７０ａは、打弦により発生される音が、貫通孔２２ａ〜２２ｃを介して左側へ出ていくよう、被覆部材７０における貫通孔２２ａ〜２２ｃに対応する部分の断面が略Ｌ字状となるように形成された切り欠きである。
【００２６】
スリット７０ｂは、打弦により発生される音が貫通孔２２ｄ，２２ｅを介して左側へ出ていくよう、被覆部材７０における貫通孔２２ｄ，２２ｃに対応する部分の断面が略Ｌ字状となるように形成された切り欠きである。
【００２７】
スリット７０ｃは、打弦により発生される音が貫通孔２２ｆを介して左側へ出ていくよう、被覆部材７０における貫通孔２２ｆに対応する部分の断面が略Ｌ字状となるように形成された切り欠きである。
【００２８】
スリット７２ａは、打弦により発生される音が、貫通孔２２ｇを介して右側へ出ていくよう、被覆部材７２における貫通孔２２ｇに対応する部分の断面が略Ｌ字状となるように形成された切り欠きである。
【００２９】
スリット７２ｂは、打弦により発生される音が、貫通孔２２ｈ，２２ｉを介して右側へ出ていくよう、被覆部材７２における貫通孔２２ｈ，２２ｉに対応する部分の断面が略Ｌ字状となるように形成された切り欠きである。
【００３０】
スリット７２ｃは、打弦により発生される音が、貫通孔２２ｊ〜２２ｌを介して右側へ出ていくよう、被覆部材７２における貫通孔２２ｊ〜２２ｌに対応する部分の断面が略Ｌ字状となるように形成された切り欠きである。
【００３１】
そして、このような構成の被覆部材７０，７２は、貫通孔２２ａ〜２２ｌを外側から覆い隠すように、ネジや接着剤等の接合部材にて上前板２２に取り付けられる。
これにより、打弦により発生された音は、貫通孔２２ａ〜２２ｌ及びスリット７０ａ〜７０ｃ，７２ａ〜７２ｃを介して外部へ出ていくこととなる。
【００３２】
以上説明したように、本実施形態のピアノによれば、上前板２２は、一枚の板材に貫通孔２２ａ〜２２ｌが形成されただけなので、上前板２２の塗装を簡単に行うことができる。
【００３３】
よって、打弦によりケース２０内で発生した音がこもってしまうのを防止することが可能なアップライトピアノを簡素な構造で実現することができる。
また、本実施形態によれば、貫通孔２２ａ〜２２ｌを覆い隠すように被覆部材７０，７２が上前板２２に取り付けられているため、ピアノの美観を損なうことなく、打弦によりケース２０内で発生した音を外部へ逃がすことができる。
【００３４】
更に、本実施形態では、スリット７０ａ〜７０ｃ，７２ａ〜７２ｃの開口部が、ピアノの中心に対して外側となるため、通常中心に位置する演奏者側からは開口部が見えず、ピアノの美観を損なうことがない。
【００３５】
更に、本実施形態によれば、各列毎の貫通孔２２ａ〜２２ｌは、弦４０の中心位置の配列に対応するように配置されているため、打弦によりケース２０内で発生した音を効率よく外部へ逃がすことができる。
【００３６】
以上、本発明の一実施形態について説明したが、本発明は、種々の形態を採り得ることは言うまでもない。
上記実施形態では、被覆部材７０，７２として、貫通孔２２ａ〜２２ｌに対応する部分の断面が略Ｌ字状となるようなスリット７０ａ〜７０ｃ，７２ａ〜７２ｃが形成されたものを用いていたが、これに限らず、被覆部材は、貫通孔２２ａ〜２２ｌを被覆可能で、且つ、ケース２０内で発生した音を逃がすことが可能な形状であれば何でもよく、例えば、図４に示す被覆部材７４，７６を用いてもよい。
【００３７】
即ち、被覆部材７４は、貫通孔２２ａから貫通孔２２ｃまでと、貫通孔２２ｄから貫通孔２２ｅまでと、貫通孔２２ｆとに対応する部分７４ａ〜７４ｃが窪んだ側面視凹凸状に形成されている。また、被覆部材７６は、貫通孔２２ｇと、貫通孔２２ｈから貫通孔２２ｉまでと、貫通孔２２ｊから貫通孔２２ｌまでとに対応する部分７６ａ〜７６ｃが窪んだ側面視凹凸状に形成されている。
【００３８】
そして、この被覆部材７４，７６を用いた場合には、その各凹部７４ａ〜７４ｃ，７６ａ〜７６ｃ側が上前板２２の前面と向かい合うように、被覆部材７４，７６を上前板２２に取り付けることにより、打弦により発生された音を、貫通孔２２ａ〜２２ｌ及び凹部７４ａ〜７４ｃ，７６ａ〜７６ｃを介して外部へ逃がすことができる。
【００３９】
また、この変形例によれば、どちらの被覆部材７４，７６においても、打弦により発生された音は左右両側から出ていくので、被覆部材７０，７２を用いた場合よりも効率よく音を逃がすことができる。
【００４０】
ところで、上記各凹部７４ａ〜７４ｃ，７６ａ〜７６ｃは、図４に示すように、被覆部材７４，７６の上下方向における中心軸に対して左右対称となるように形成されていてもよいし、図５に示すように、左右方向に対して傾くように形成されていてもよい。
【００４１】
そして、図５に示すように、各凹部７４ａ〜７４ｃ，７６ａ〜７６ｃを左右方向に対して傾くように形成した場合には、上記実施形態と比べて、外観を変えることなく貫通孔２２ｇ〜２２ｌの径を大きくすることができると共に、貫通孔２２ｇ〜２２ｌが見えてしまうことを、より効果的に防止することができる。
【００４２】
なお、図４及び図５の変形例では、凹部７４ａ〜７４ｃ，７６ａ〜７６ｃがスリットに相当している。
一方、図６に示すように、上前板２２の上下方向に延びる長尺状の長尺部７８ａ，８０ａと、その長尺部７８ａ，８０ａの長手方向に沿った一端側から上前板２２側へ向かって突出した突出部７８ｂ，８０ｂとからなる被覆部材７８，８０を用いてもよい。
【００４３】
そして、被覆部材７８，８０を用いた場合には、貫通孔２２ａ〜２２ｆを覆い隠すように、被覆部材７８を上前板２２に取り付けると共に、貫通孔２２ｇ〜２２ｌを覆い隠すように、被覆部材８０を上前板２２に取り付けることで、打弦により発生された音を、貫通孔２２ａ〜２２ｌと、被覆部材７８，８０及び上前板２２により囲まれる空間（詳しくは、長尺部７８ａ，８０ａと突出部７８ｂ，８０ｂと上前板２２の前面とにより囲まれる空間）７８ｃ，８０ｃとを介して外部へ逃がすことができる。
【００４４】
なお、図６の変形例では、空間７８ｃ，８０ｃがスリットに相当している。
ところで、上記実施形態において、貫通孔２２ａ〜２２ｌは、その貫通孔２２ａ〜２２ｌとの中心位置に位置する弦４０の中心位置に対応するように形成されていたが、上前板２２を貫通する孔であればどこに形成されていてもよく、例えば、図７に示す貫通孔２２ｍ〜２２ｗが上前板２２に形成されていてもよい。
【００４５】
即ち、図７の上前板２２には、鍵の配列方向の中心部分よりも低音域側に、上下方向に一列に並ぶよう３つの貫通孔２２ｍ〜２２ｏが形成されていると共に、高音側に、上下方向に一列に並ぶよう８つの貫通孔２２ｐ〜２２ｗが形成されている。
【００４６】
また、貫通孔２２ｍ〜２２ｏの径の大きさは、貫通孔２２ｐ〜２２ｗの径の大きさよりも大きい。
以上のような図７の上前板２２を用いれば、低音域側と高音域側とで貫通孔２２ｍ〜２２ｗの大きさを変えているので、高音域や低音域の音を効率よく逃がすことができる。
【００４７】
即ち、低音域と高音域とでは周波数が異なるため、低音域側と高音域側とで貫通孔２２ｍ〜２２ｗの径の大きさを変えることにより、効率よく音を逃がすようにしているのである。
【００４８】
ところで、上記実施形態では、上前板２２において、低音域側と高音域側との両方に貫通孔２２ａ〜２２ｌが形成されていたが、これに限らず、少なくとも高音域側に貫通孔が形成されていればよい。
【００４９】
また、上記実施形態では、低音域側と高音域側との２列に貫通孔２２ａ〜２２ｌが形成されていたが、限らず、３列以上形成されていてもよい。
このようにすれば、打弦により発生された音をより効果的に逃がすことができる。
【００５０】
また、上記実施形態では、上前板２２の前面に譜面台が設けられていないアップライトピアノに本発明を適用したが、これに限らず、上前板２２の前面に譜面台が設けられているアップライトピアノに本発明に適用してもよく、この場合においても、上述した効果と同様の効果を得ることができる。
【図面の簡単な説明】
【００５１】
【図１】実施形態のアップライトピアノを説明する説明図である。
【図２】上前板及び被覆部材の構成を説明する説明図である。
【図３】同実施形態の被覆部材の斜視図である。
【図４】変形例の被覆部材の斜視図である。
【図５】変形例の被覆部材の斜視図である。
【図６】変形例の被覆部材の斜視図である。
【図７】変形例の上前板の構成を説明する説明図である。
【符号の説明】
【００５２】
１０…鍵盤、２０…ケース、２２…上前板、２２ａ〜２２ｌ，２２ｍ〜２２ｗ…貫通孔、２４…下前板、２６…屋根、２８…底板、３０，３２…親板、３４…鍵盤蓋、４０…弦、５０…響板、６０…フレーム、６１ａ，６１ｂ…駒、７０，７２，７４，７６，７８，８０…被覆部材、７０ａ〜７０ｃ，７２ａ〜７２ｃ…スリット、７４ａ〜７４ｃ，７６ａ〜７６ｃ…凹部、７８ａ，８０ａ…長尺部、７８ｂ，８０ｂ…突出部、７８ｃ，８０ｃ…空間。
【図１】
2007187886.tif 000003
【図２】
2007187886.tif 000004
【図３】
2007187886.tif 000005
【図４】
2007187886.tif 000006
【図５】
2007187886.tif 000007
【図６】
2007187886.tif 000008
【図７】
2007187886.tif 000009